(57)【要約】【課題】スキャナ装置で作成した画像を電子メールに添付して送信する画像送信装置において、スキャナ装置がホスト装置から受信した電子メールの内容に基づき差出人、題名、本文などの情報を自動選択させることで、より使いやすい装置を提供する。【解決手段】本発明の画像送信装置１０１は、ネットワークを１０３介して複数の端末装置１０２に接続されていると共に、接続されている他の端末装置に画像を電子メールに添付して送信する送信手段を備えている。そして、画像を記憶する記憶手段１０６と、端末装置から電子メールを受信する電子メール受信手段１１１と、受信した電子メールのデータを解析する電子メール解析手段１１３と、解析した内容に基づき、記憶手段１０６から取り出した画像を添付した電子メールを作成する電子メール作成手段１１５と、を具備する。【選択図】　　　　図１
2004048451.tif 000002
【特許請求の範囲】
【請求項１】
ネットワークを介して複数の端末装置に接続されていると共に、前記端末装置へ画像を電子メールに添付して送信する送信手段を備えた画像送信装置において、
画像を記憶する記憶手段と、
前記端末装置から電子メールを受信する電子メール受信手段と、
前記電子メール受信手段により受信した電子メールのデータを解析する電子メール解析手段と、
前記電子メール解析手段により解析した内容に基づき、前記記憶手段から取り出した画像を添付した電子メールを作成する電子メール作成手段と、を備えたことを特徴とする画像送信装置。
【請求項２】
前記画像送信装置は、前記電子メール解析手段の解析結果に基づき指定された画像が前記記憶手段に存在しない場合には、電子メールの差出人に画像が存在しないことを通知する通知手段を備えたこと特徴とする請求項１記載の画像送信装置。
【請求項３】
前記画像送信装置は、前記記憶手段に画像を記憶する際に画像に付与する識別情報付与手段を備えたことを特徴とする請求項１記載の画像送信装置。
【請求項４】
前記識別情報付与手段は、暗証情報を付与する暗証情報付与手段を有することを特徴とする請求項１記載の画像送信装置。
【請求項５】
前記電子メール作成手段は、前記電子メール受信手段が端末装置から受信した電子メールに対して前記電子メール解析手段が解析した該メールの差出人のアドレスを、自動的に設定することを特徴とする請求項１記載の画像送信装置。
【請求項６】
前記電子メール作成手段は、電子メールに添付された画像を電子メールの送信後、画像記憶手段から消去するか、保存するかを選択する選択手段を備えたことを特徴とする請求項１記載の画像送信装置。
【発明の詳細な説明】
【０００１】
【発明の属する技術分野】
本発明は、電子メール機能を備えた画像送信装置に関する。
【０００２】
【従来の技術】
近年、ＰＣ等の情報処理装置を含むオフィス機器のネットワーク化やインターネット化が急速に進み、スキャナやＦＡＸにおいても、ネットワークやインターネットを利用した商品が開発されている。
インターネットを利用したスキャナ装置に関する従来技術として、例えば、Ｓｃａｎ　ｔｏ　Ｅｍａｉｌと呼ばれる技術が知られている。
この従来技術は、インターネット（ネットワーク）に接続されているスキャナ装置において、スキャンした画像データを変換して、電子メール用の添付ファイルを作成し、その添付ファイルを添付した電子メールをインターネット上の宛先（ホスト装置）に送信するというものである。
【０００３】
また、ＦＡＸの分野においても、例えば、特開２０００−１５１８８７号公報に記載されているように、ＦＡＸ装置でスキャンした画像をインターネット上のアドレス（ホスト装置やＦＡＸ装置）に送信するインターネットＦＡＸ装置と呼ばれるものが知られている。
【０００４】
【発明が解決しようとする課題】
前述した従来技術によるＳｃａｎ　ｔｏ　Ｅｍａｉｌの構成を図５を参照して説明する。図５は従来技術によるＳｃａｎ　ｔｏ　Ｅｍａｉｌで送信された電子メールの表示例であって、表示画面には差出人アドレス２、宛先のアドレス４、題名６、本文８および添付ファイル名９が表示される。
宛先アドレス４はスキャナ装置で入力したり、アドレス帳から選択することにより設定することができるが、差出人アドレス２は、スキャナ装置固有の電子メールアドレスが表示される。この図示例の場合、差出人アドレス２は「ｓｃａｎｎｅｒ＠ｘｘ，ｙｙ．ｚｚ」となっているため、受信者側では差出人が誰であるか解らない。
また、題名６や本文８や添付ファイル名９も装置に記憶されている定型的なものが自動的に付与されるため、添付ファイルに関する情報などを受信者に伝えることができない。
【０００５】
つまり、この装置は電子メールの宛先を指定するだけの簡易なものであり、電子メールの題名や本文等は装置に記憶されている定型的なものが自動的に付与され、差出人・題名・本文等の情報をユーザが作成して付与することができない。すなわち、画像送信者が画像受信者に対し詳細な情報を伝えることができないという問題点を有している。
一方、前記の従来技術は、画像受信者側においても、この画像ファイルが添付された電子メールを受信したとき、差出人のアドレスがスキャナ装置固有の電子メールアドレスになっており、しかも、添付ファイルに関する情報がないため、受信者も不便であるという問題点を有している。
【０００６】
また、特願２０００−１５１８８７号公報にはメールに定型の題名から選択した題名を付与することにより識別できる構成が開示されている。
【０００７】
本発明の目的は、前述した従来技術の問題点を解決し、電子メールに添付するスキャナ装置で作成した画像を、スキャナ装置がホスト装置から受信した電子メールの内容に基づき自動選択させることで、より使いやすい画像送信装置を提供することにある。
【０００８】
【課題を解決するための手段】
本発明の画像送信装置は、ネットワークを介して複数の端末装置に接続されていると共に、接続されている他の端末装置に画像を電子メールに添付して送信する送信手段を備えている。そして、画像を記憶する記憶手段と、前記端末装置から電子メールを受信する電子メール受信手段と、前記電子メール受信手段により受信した電子メールのデータを解析する電子メール解析手段と、前記電子メール解析手段により解析した内容に基づき、前記記憶手段から取り出した画像を添付した電子メールを作成する電子メール作成手段と、を具備する。
この構成により、ネットワークスキャナ装置で読み取った画像データを電子メールで配信する場合、ネットワークスキャナ装置側で宛先、件名、本文等の電子メールの入力を行うのではなく、ホスト側からの電子メールによる指示により行わせることが可能となる。
その結果、ユーザによる指示操作が簡単になり、操作性を向上させ操作ミスを減らすことが可能となる。
【０００９】
本発明の画像送信装置は、記憶手段に電子メール解析手段の解析結果に基づき指定された画像が存在しない場合には、差出人に通知する通知手段を備えたことを特徴とする。
この構成により、ホスト側からの電子メールにより指示された画像が存在しない場合においては、その旨を通知することにより、ユーザによる再送処理等の対応を行うことが可能となる。
【００１０】
本発明の画像送信装置は、記憶手段に画像を記憶する際に画像に付与する識別情報（ＩＤ）を入力して付与する手段を備えたことを特徴とする。
この構成により、画像データに対応するＩＤを付与することにより、このＩＤを基に画像を選択することが可能となるため、ユーザによる操作性が向上し、作業時間の短縮と作業ミスを減らす事が可能となる。
【００１１】
本発明の画像形成装置の識別情報入力手段は、暗証情報（パスワード等）を入力して付与する暗証情報付与手段を有することを特徴とする。
この構成により、記憶手段に記憶させた画像を他人に使用されることを防止することが可能となる。それにより、機密性を向上させることが可能となる。
【００１２】
本発明の画像送信装置の電子メール作成手段は、電子メール受信手段が端末装置から受信した電子メールを前記電子メール解析手段が解析し、得られた該メールの差出人のアドレスを、自動的に設定する構成を備えている。
この構成により、ネットワークスキャナ装置から送られた電子メールを受信したホストコンピュータが、この受信した電子メールを返信した場合には、ネットワークスキャナ装置ではなく画像の添付を指定した端末の送信者へ直接返信することが可能となる。
【００１３】
本発明の画像送信装置の電子メール作成手段は、電子メールに添付された画像を電子メールの送信後、画像記憶手段から消去するか、保存するかを選択する選択手段を備えたことを特徴とする。
この構成により、一度送信を終えた同じ画像をさらに他の相手先にも送信したい場合、先の電子メールを送信した後、画像を削除せずネットワークスキャナ装置に保持させることにより、他の宛先等に送信する事が可能となる。
【００１４】
【発明の実施の形態】
以下、本発明による画像送信装置（以下ネットワークスキャナ装置という）の実施形態を図面により詳細に説明する。
図１は本発明の一実施形態によるネットワークスキャナ装置を含むネットワークの構成を示すブロック図である。図１において、１０１はネットワークスキャナ装置、１０２はパソコン、１０３はネットワーク、１０４は制御部、１０５はスキャナ部、１０６は画像メモリ部、１０７は操作・表示部、１０８は画像データ管理部、１０９はＬＡＮインターフェース部、１１０はパスワード照合部、１１１は電子メール受信部、１１３は電子メールデータ解析部、１１４は電子メール作成部、１１５は電子メール送信部である。
【００１５】
ネットワークスキャナ装置１０１は、複数のパソコン１０２と共にネットワーク１０３に接続されている。そして、ネットワーク１０３に接続された端末装置（パソコン）１０２は、固有の電子メールアドレスが割り当てられ、パソコン１０２間で電子メールを送受信することができる構成となっている。すなわち、パソコン１０２は、本発明の実施形態における後述するホストマシンとしての機能、及び端末装置として電子メールの送受信を行う機能を有し、ネットワーク１０３に接続されているネットワークスキャナ装置１０１や他のパソコン１０２との間で電子メールを送受信することができ、受信電子メールに添付ファイルが添付されていれば、その添付されている画像データをディスプレイ上に表示したり、プリンタで出力することができる。
【００１６】
ネットワークスキャナ装置１０１は、装置全体の制御を行う制御部１０４と、原稿の画像を光学的に読み取るスキャナ部１０５と、スキャナ部１０５が取り込んだ画像データを蓄積・記憶する画像メモリ（記憶）部１０６と、スキャナ装置の図示しないオペレーションパネルへの表示を行う操作・表示部１０７と、操作・表示部１０７においてスキャナ部１０５から読み込んだ画像データに対しＩＤやパスワードが設定された場合に、このＩＤ、パスワードを登録する画像データ管理部１０８と、ネットワークスキャナ装置１０１をネットワーク１０３上に接続するＬＡＮインターフェース部１０９と、受信電子メールに設定されたパスワードを比較照合するパスワード照合部１１０と、ＬＡＮインターフェース部１０９を介してパソコン１０２等から電子メールを受信する電子メール受信部１１１と、受信した電子メールを管理する電子メール管理部１１２と、受信した電子メールの本文を解析する電子メールデータ解析部１１３と、電子メールデータ解析部１１３による解析に基づき電子メールを作成する電子メール作成部１１４と、ＬＡＮインターフェース部１０９を介してパソコン１０２等へ電子メールを送信する電子メール送信部１１５とを備えて構成される。
【００１７】
また、ネットワークスキャナ装置１０１は、操作・表示部１０７において画像を記憶させる際に付与するＩＤ、パスワードを入力して設定し付与する手段を有し、スキャナ装置のオペレーションパネルでのユーザの操作に従って、スキャンの実行やスキャン画像に付加するＩＤやパスワードの入力、設定などの処理を行う。
【００１８】
スキャナ部１０５で読み取られたスキャン画像は、操作・表示部１０７の操作によってＩＤ及び、パスワードが付加された場合、このＩＤ，パスワードは、画像データ管理部１０８に登録されると共に、スキャン画像は、画像メモリ部１０６に記憶保存される。この時、画像メモリ部１０６のどのエリアに保存されたかの情報も画像データ管理部１０８に登録する。この構成により、後からＩＤにより対応するスキャン画像を画像メモリ部１０６から呼び出すことができる。
電子メールデータ解析部１１３は、受信した電子メールの本文に記述されている情報（差出人、宛先、題名、本文、パスワード、ＩＤ）を切り出す（解析する）。
【００１９】
電子メール作成部１１４は、電子メールデータ解析部１１３による解析に基づき電子メールを作成すると共に、ＩＤを基に画像データ管理部１０８に添付する画像の問い合わせを行う。問い合わせを受けた画像データ管理部１０８は、ＩＤに対応する画像データを画像メモリ部１０６に蓄積された画像データから選びだし、電子メール作成部１１４へ渡す。電子メール作成部１１４は画像データを受け取ると電子メール用添付ファイルとしての画像ファイルを作成し、その画像ファイルを先に作成した電子メールに添付する。又、画像データ管理部１０８は、上述の電子メールデータ解析部１１３の解析の結果、メール本文に、所定の語句が見つからなかった場合、添付した画像データを画像メモリ部１０６から削除することもできる。
【００２０】
パスワード照合部１１０は、電子メール作成部１１４がＩＤを基に画像データ管理部１０８に問い合わせた際に、その画像データにパスワードが設定されていた場合、受信メール本文に記述されていたパスワードと照合を行う。
電子メール送信部１１５は、ＬＡＮインターフェース部１０９を介して、パソコン１０２等へ電子メールを送信するためのものである。
【００２１】
図２はホストマシン（端末）からネットワークスキャナ装置１０１に送信された電子メールの記述に基づいて、スキャナ装置１０１の電子メール作成部１１４が、実際にスキャナ装置１０１から送信する電子メールを作成する方法の説明図である。
【００２２】
図２（ａ）は、ホストマシンからネットワークスキャナ装置１０１に送信され、電子メール受信部１１１で受信した電子メールの例を示している。このメールは、宛先３０、題名５０、本文７０、ＩＤ（Ａ−５）、パスワード（Ａ−６）を図示例のように含んで構成されている。
そして、本文７０には、規定のフォーマットに従って、宛先（Ａ−１）、題名（Ａ−２）、本文（Ａ−３）、添付ファイル名（Ａ−４）、ＩＤ（Ａ−５）、パスワード（Ａ−６）等の情報が記述されている。
又、題名（Ａ−２）には、この電子メールに対しスキャナ画像の自動添付の動作をネットワークスキャナ装置１０１に指示するための所定の語句、例えば‘自動添付：’の後に本来題名にしたい内容、図示の例では「出張先の地図」を続けて記述している。
【００２３】
更に、ネットワークスキャナ装置１０１からスキャナ画像を電子メールに添付して送信した後もネットワークスキャナ装置１０１にそのスキャナ画像を保持させるか否かの語句、画像保持：ｙｅｓを記述している（Ａ−７）。
スキャナ装置１０１の電子メール作成部１１４は、前述のような構成を有するホストマシンからの電子メールの内容に基づいて、電子メールを作成し、電子メール送信部１１５から送信する。
【００２４】
図２（ｂ）は電子メール作成部１１４により作成されて送信される電子メールの例を示している。
この電子メールは、下記に示すように、受信したホストマシンからの電子メールの情報を、電子メール作成部１１４により電子メール内容に設定することによって作成される。
▲１▼差出人のアドレス（Ｂ−１）：（図２、受信した電子メールの差出人アドレス）
▲２▼宛先（Ｂ−２）：（本文７０の（Ａ−１））
▲３▼題名（Ｂ−３）：（本文７０の（Ａ−２））
▲４▼本文（Ｂ−４）：（本文７０の（Ａ−３））
▲５▼添付ファイル（Ｂ−５）：（本文７０の（Ａ−４））
【００２５】
尚、送信する電子メールの題名（Ｂ−３）は、受信した題名５０に付いている前述の所定の語句‘自動添付：’が削除された残りの内容が設定される。
更に、ネットワークスキャナ装置１０１からスキャナ画像を電子メールに添付して送信した後もネットワークスキャナ装置１０１にそのスキャナ画像を保持させておくための語句（Ａ−７）は本文から削除される。
【００２６】
次にネットワークスキャナ装置の制御を説明する。
図３、図４は本発明の実施形態によるネットワークスキャナ装置を使用したＳｃａｎ　ｔｏ　Ｅｍａｉｌの動作を説明するフローチャートである。
すなわち、予め、ユーザがスキャンした原稿画像に対してＩＤ、パスワードを設定し、ネットワークスキャナ装置１０１に読み込ませた原稿画像データと、電子メールの本文、宛先などの情報を記述した電子メールを、パソコン１０２等のホストマシンからネットワークスキャナ１０１に送信する。受信したネットワークスキャナ装置１０１は自動的に、受信した電子メールの情報に基づいて、図２（ｂ）に示すような電子メールを作成すると共に原稿画像データを添付ファイルとし、添付して送信する動作である。
【００２７】
＜図３：ネットワークスキャナへの原稿画像の読み込み動作＞
ユーザは、ネットワークスキャナ装置１０１に原稿画像（例えば地図）を画像データとして読み込ませる（ステップ１０１）。
この時、読み込んだ画像データにＩＤとパスワードを設定するため、ユーザは、操作・表示部１０７よりＩＤとパスワードを入力、設定する（ステップ１０２）。画像データ管理部１０８は、読み込んだ画像データ（たとえば地図）を、画像メモリ部１０６に記憶させる（ステップ１０３）。
さらに、画像データ管理部１０８は、前述の画像データを記憶した画像メモリ部１０６のエリア情報と、この画像データのＩＤ及びパスワードを管理するデータベースに記録する（ステップ１０４）。
【００２８】
＜図４：ユーザによるパソコンＰＣ１０２からの送信指示方法＞
ネットワークスキャナ装置１０１は、ネットワーク１０３を介して、ユーザがパソコンＰＣ１０２から送信する電子メール（電子メールの内容は、上述する図２に基づいて作成されている）がＬＡＮインターフェース部１０９へ到達するのを待つ（ステップ１０５）。
ユーザがパソコンＰＣ１０２から送信する電子メールが電子メール受信部１１１を経由してＬＡＮインターフェース部１０９に到達、電子メールを該部１０９が受信すると電子メールデータ解析部１１３は、受信した電子メールを解析する。
【００２９】
電子メールデータ解析部１１３での解析は、先ず、題名に画像の自動添付処理の実行を指示する所定の語句があるかを調べる（ステップ１１６）。
ステップ１１６のチェックで、所定の語句が受信した電子メールの題名に無かった場合、受信した電子メールを、電子メール管理部１１２に保管する（ステップ１１７）。
尚、上記ステップ１１７の処理については、送信者の入力忘れの可能性もあるため、問い合わせのメールを返信しても良い。
ステップ１１６のチェックで、所定の語句（自動添付）が受信した電子メールの題名にあった場合、受信した電子メール本文に記述されている情報（図２ａに示す差出人１０、宛先３０、題名５０、本文７０、ＩＤ（Ａ−５）、パスワード（Ａ−６）））を切り出し、切り出したデータを解析する（ステップ１０６）。
【００３０】
ステップ１０６での解析時、記述内容が規定のフォーマットに合っているかをステップ１０７でチェックする。フォーマットに合致しない場合、電子メール送信部１１５、ＬＡＮインターフェース部１０９を経由して、差出人に電子メールの記述が不適切である内容の電子メールを送信し（ステップ１１３）、その電子メールを削除し（ステップ１１４）、ここまでの処理を終了する。
【００３１】
ステップ１０７のチェックで、受信した電子メールが規定のフォーマットに合致した場合、画像データ管理部１０８は、電子メール解析部１１３が受信した電子メールから切り出したＩＤに合致する画像データを管理するデータベースから検索する。合致するＩＤ見つからなかった場合、電子メール送信部１１５、ＬＡＮインターフェース部１０９を経由して、差出人に電子メールの記述が不適切である内容の電子メールを送信する（ステップ１１３）。そして、その電子メールを削除し（ステップ１１４）、ここまでの処理を終了する。
【００３２】
ステップ１０８で、画像データ管理部１０８が管理するデータベースを検索した結果、合致するＩＤが設定された画像データが見つかった場合、その画像にパスワードが設定されているかを調べる（ステップ１０９）。
ステップ１０９で、パスワードが設定されている場合は、パスワード照合部１１０は、受信した電子メールに記述されたパスワードと、前述のデータベースから検索したパスワードを照合する（ステップ１１０）。
【００３３】
ステップ１１０のパスワード照合結果で、パスワードが合致しなかった場合、電子メール送信部１１５、ＬＡＮインターフェース部１０９を経由して、差出人に電子メールの記述が不適切である内容の電子メールを送信する（ステップ１１３）。そして、その電子メールを削除し（ステップ１１４）、ここまでの処理を終了する。
ステップ１０９のチェックでパスワードが設定されていなかった場合、または、ステップ１１０のパスワード照合結果、パスワードが合致した場合、電子メール作成部１１４は、ステップ１０８で見つかったＩＤに合致する画像データを画像メモリ部１０６から読み出し、これを電子メール用添付ファイルとして、一定の形式（例えば、ＴＩＦＦ形式、ＧＩＦ形式、ＰＤＦ形式、ビットマップ等）の画像ファイルとして作成すると共に、電子メール作成部１１４は、電子メールデータ解析部１１３により切り出された情報を基に電子メールを作成し、前述の画像ファイルを添付する（ステップ１１１）。
電子メール送信部１１５は、ＬＡＮインターフェース１０９を経由し電子メールを送信する（ステップ１１２）。
【００３４】
ステップ１１８では、受信した電子メールの解析の結果に、対象の画像データを電子メール送信後も保管する指示の有無を調べ、指示がなかった場合、対象の画像データを画像メモリ部１０６から削除する（ステップ１１９）。
尚、ステップ１１８で、対象の画像データを保管する指示があった場合、画像データの削除を行わないで終了する。
【００３５】
上述した本発明の実施形態によれば、ネットワークスキャナ装置１０１で取り込んだ画像データをスキャナ装置１０１から電子メールで配信する場合、先にスキャナに取り込んでおいた画像データを電子メールに添付する作業を、ホスト側からスキャナ装置１０１に送る電子メールの内容を基に、画像データの選択と電子メールの作成をスキャナ装置側で自動的に行わせるため、スキャナ装置側での操作が簡単になり、ユーザの操作性を向上させ操作ミスが減らすことができる。
【００３６】
本発明の実施形態によれば、ホスト側からスキャナに送る電子メールのフォーマットが、不適切か否かをチェックし、電子メールのフォーマットが不適切な場合、不適切であることを差出人に伝える構成としているので、電子メールの転送エラーを送信者がいち早く知ることができ、直ぐに適正フォーマットによる再送処理を行うことができる。
【００３７】
また、本発明の実施形態によれば、電子メール本文にＩＤ指定する構成とすることで、複数の相手先にそれぞれ違った画像を添付して送信させようとする際に、このＩＤを基にスキャナ側で自動的に画像を選択してくれるので、操作性が向上し作業時間の短縮と作業ミスを減らすことができる。
また、ユーザはパスワードの設定を行うことができるので、登録した画像を他人に使用されることがなく、機密性を向上させることができる。
【００３８】
さらに、本発明の実施形態によれば、例えば、先にスキャナ装置に電子メールを送ってから、スキャナ装置側の操作でユーザが手動によりこのメールを選択してスキャン画像を添付する方法を併用できる場合、電子メールに所定の表記の有無があった場合、画像の添付方法を切り替えることができ、ユーザは作業のしやすい方法を選択することができる。
【００３９】
また、本発明の実施形態によれば、スキャナ装置から送られた電子メールを受信したホストが、この受信した電子メールを返信した場合、スキャナ装置ではなく画像の添付を指定した基の送信者に返信することができる。
【００４０】
そして、本発明の実施形態によれば、一度送信を終えた同じ画像をさらに他の相手先にも送信したい場合、先の電子メールを送信した後、画像を削除せずスキャナに保持させることができるので、スキャナの読み込み操作が一度で済み省力化がはかれる。また、最後の送信で画像消去するように指定することもできるので、他人に画像を閲覧されることが防止でき、操作性を向上し機密性を保つことができる。
【００４１】
【発明の効果】
以上説明したように、本発明は、電子メールに添付するスキャナ装置で作成した画像を、スキャナ装置がホスト装置から受信した電子メールの内容に基づき自動選択させることで、より使いやすい画像送信装置を提供することができる。
【図面の簡単な説明】
【図１】本発明の一実施形態によるネットワークスキャナ装置を含むネットワーク構成を示すブロック図である。
【図２】ホストマシンからネットワークスキャナ装置送信する電子メールの表示例と、この電子メールに基づいてスキャナが送信する電子メールの表示例を示す図である。
【図３】本実施形態によるネットワークスキャナ装置を使用したＳｃａｎ　ｔｏＥｍａｉｌの動作を説明するフローチャートである。
【図４】本実施形態によるネットワークスキャナ装置を使用したＳｃａｎ　ｔｏＥｍａｉｌの動作を説明するフローチャートである。
【図５】従来図の表示例を示す図である。
【符号の説明】
１０　差出人
３０　宛先
５０　題名
７０　本文
１０１　ネットワークスキャナ
１０２　端末装置（パソコン）
１０３　ネットワーク
１０４　制御部
１０５　スキャナ部
１０６　画像メモリ部
１０７　操作・表示部
１０８　画像データ管理部
１０９　ＬＡＮインターフェース部
１１０　パスワード照合部
１１１　電子メール受信部
１１２　電子メール管理部
１１３　電子メールデータ解析部
１１４　電子メール作成部
１１５　電子メール送信部
【図１】
2004048451.tif 000003
【図２】
2004048451.tif 000004
【図３】
2004048451.tif 000005
【図４】
2004048451.tif 000006
【図５】
2004048451.tif 000007